(57)【要約】【課題】ハウジング１にスピーカ４が内蔵されると共に放音孔１１が開設されている電子機器において、スピーカ４から発せられた音響を放音孔１１まで導く導音部を狭いスペースに設置可能とし、且つ該導音部を伝わる音響の減衰を抑制する。【解決手段】本発明に係るスピーカ内蔵電子機器においては、ハウジング１の内部に、スピーカ４から発せられる音響を放音孔１１まで導く導音部が形成され、該導音部は、ハウジング１の壁面に沿って拡がる扁平な音響空間５５を有し、該音響空間５５は、ハウジング１の壁面と直交する方向の厚さ寸法が、導音方向と直交する方向の幅寸法よりも小さく、該音響空間５５と対向するハウジング１の壁面領域の中央部に放音孔１１が配置されている。【選択図】図３
2011035572.tif 000002
【特許請求の範囲】
【請求項１】
ハウジングに、スピーカが内蔵されると共に、該スピーカから発せられる音響をハウジングの外側へ放出するための放音孔が開設されている電子機器において、ハウジングの内部には、前記スピーカから発せられる音響を前記放音孔まで導く導音部が形成され、該導音部は、前記ハウジングの壁面に沿って拡がる扁平な音響空間を有し、該音響空間は、ハウジングの壁面と直交する方向の厚さ寸法が、導音部の導音方向と直交する方向の幅寸法よりも小さく、該音響空間と対向するハウジングの壁面領域の中央部に前記放音孔が配置されていることを特徴とするスピーカ内蔵電子機器。
【請求項２】
ハウジングは直方体状を呈して、少なくとも１つの角部が外側に膨らんだ円弧面を形成し、該角部の裏面に対向して前記スピーカが設置され、該角部から延びる平板壁部に前記放音孔が開設されている請求項１に記載のスピーカ内蔵電子機器。
【請求項３】
前記導音部を形成すべき導音部材を具え、該導音部材は、前記スピーカを収納する音源部と、前記音響空間を形成すべき導音壁部とを有し、該導音部材は、導音壁部をハウジングの平板壁部と対向させて設置され、該導音壁部と平板壁部によって前記音響空間が形成され、該平板壁部の中央部に前記放音孔が開設されている請求項１又は請求項２に記載のスピーカ内蔵電子機器。
【請求項４】
前記導音部材の音源部には、スピーカが収納されるべきスピーカ収納空間と、該スピーカ収納空間と対向する第１音響空間とが形成され、前記導音部材の導音壁部とハウジングの平板壁部によって形成される音響空間が第２音響空間となって、第１音響空間から第２音響空間へ音響が導かれる請求項３に記載のスピーカ内蔵電子機器。
【請求項５】
ハウジングの平板壁部の裏面には、放音孔からハウジング内への水の浸入を防止する防水シートが設置されている請求項２乃至請求項４の何れかに記載のスピーカ内蔵電子機器。
【発明の詳細な説明】
【技術分野】
【０００１】
本発明は、カメラや携帯電話機の如くスピーカを内蔵した電子機器に関するものである。
【背景技術】
【０００２】
従来、この種の電子機器においては、携帯可能な小型のハウジングに、スピーカが内蔵されると共に、該スピーカから発せられる音響をハウジングの外側へ放出するための放音孔が開設され、ハウジングの内部には、前記スピーカから発せられる音響を前記放音孔まで導く導音部が形成されている(特許文献１、２参照)。
【０００３】
この様な電子機器によれば、スピーカの位置が放音孔に面した位置からずれている場合であっても、スピーカから発せられた音響が導音部を経て放音孔へ導かれ、最終的に放音孔から外部へ放出されることになる。
【先行技術文献】
【特許文献】
【０００４】
【特許文献１】特開２００１−１９７１８２号公報
【特許文献２】特開平９−３２１６５０号公報
【発明の概要】
【発明が解決しようとする課題】
【０００５】
しかしながら、スピーカ内蔵電子機器においては、小型のハウジング内に多くの部品が配備されており、これらの部品と干渉することのない位置にスピーカを配置する必要があり、この様なスピーカから発せられた音響を放音孔まで導く導音部は、ハウジング内の狭いスペースを利用して配置する必要があるため、導音部はその導音方向に沿って徐々に狭まる形状とならざるを得ず、その結果、スピーカから発せられた音響は、導音部内を伝わる過程で大きく減衰し、音圧が著しく低下する問題があった。
【０００６】
そこで本発明の目的は、スピーカから発せられた音響を放音孔まで導く導音部をハウジング内の狭いスペースを利用して設置することが出来、然もスピーカから発せられた音響が導音部内を伝わる過程で大きく減衰することのないスピーカ内蔵電子機器を提供することである。
【課題を解決するための手段】
【０００７】
本発明に係るスピーカ内蔵電子機器においては、携帯可能な小型のハウジングに、スピーカが内蔵されると共に、該スピーカから発せられる音響をハウジングの外側へ放出するための放音孔が開設されている。
ここで、ハウジングの内部には、前記スピーカから発せられる音響を前記放音孔まで導く導音部が形成され、該導音部は、前記ハウジングの壁面に沿って拡がる扁平な音響空間を有し、該音響空間は、ハウジングの壁面と直交する方向の厚さ寸法が、導音部の導音方向と直交する方向の幅寸法よりも小さく、該音響空間と対向するハウジングの壁面領域の中央部に前記放音孔が配置されている。
【０００８】
上記本発明のスピーカ内蔵電子機器によれば、ハウジング内の部品と干渉することのない位置にスピーカを配置した場合であっても、スピーカから発せられる音響を放音孔まで導く導音部は、ハウジングの壁面に沿って拡がる扁平な外形に形成して、ハウジングの壁面に沿う狭い空間に配置することが出来る。
【０００９】
この場合、導音部の音響空間は、ハウジングの壁面と直交する方向の厚さが小さくならざるを得ないが、導音部の導音方向と直交する方向の幅をハウジングの幅に応じて出来るだけ大きく形成することにより、音響空間の容積を可及的に拡大することが出来る。これによって、導音部内を伝わる音響の減衰を抑制することが出来る。
然も、音響空間と対向するハウジングの壁面領域の中央部に放音孔が配置されているので、導音部内の音響は、その音圧が大きく低下することなく、放音孔から外部へ放出されることになる。
【００１０】
具体的態様において、ハウジングは直方体状を呈して、少なくとも１つの角部が外側に膨らんだ円弧面を形成し、該角部の裏面に対向して前記スピーカが設置され、該角部から延びる平板壁部に前記放音孔が開設されている。
又、ハウジングの平板壁部の裏面には、放音孔からハウジング内への水の浸入を防止する防水シートが設置されている。
【００１１】
該具体的態様によれば、ハウジングの角部の内側をスピーカの収容位置として、デッドスペースの有効活用を図ることが出来る。又、放音孔からハウジング内への水の浸入を防止するための防水シートを、ハウジングの平板壁部の裏面に設置することが出来、これによって信頼性の高い防水構造を実現することが出来る。
【００１２】
他の具体的態様においては、前記導音部を形成すべき導音部材を具え、該導音部材は、前記スピーカを収納する音源部と、前記音響空間を形成すべき導音壁部とを有し、該導音部材は、導音壁部をハウジングの平板壁部と対向させて設置され、該導音壁部と平板壁部によって前記音響空間が形成され、該平板壁部の中央部に前記放音孔が開設されている。
【００１３】
該具体的態様によれば、ハウジングの一部(平板壁部)を利用して音響空間を形成することが出来るので、導音部材の薄型化、ひいてはハウジングの小型化を図ることが出来る。
【００１４】
更に他の具体的態様において、前記導音部材の音源部には、スピーカが収納されるべきスピーカ収納空間と、該スピーカ収納空間と対向する第１音響空間とが形成され、前記導音部材の導音壁部とハウジングの平板壁部によって形成される音響空間が第２音響空間となって、第１音響空間から第２音響空間へ音響が導かれる。
【００１５】
該具体的態様によれば、第２音響空間に対する第１音響空間の容積を可変設定することによって、音響特性を調整することが出来る。
【発明の効果】
【００１６】
本発明に係るスピーカ内蔵電子機器によれば、スピーカから発せられた音響を放音孔まで導く導音部をハウジング内の狭いスペースを利用して設置することが出来、然もスピーカからの音響が導音部内を伝わる過程の減衰を効果的に抑制することが出来る。
【図面の簡単な説明】
【００１７】
【図１】図１は、本発明を一実施態様であるカメラの斜視図である。
【図２】図２は、該カメラの要部の分解斜視図である。
【図３】図３は、該カメラの要部の断面図である。
【図４】図４は、該カメラに配備される導音部材の斜視図である。
【図５】図５は、図４のＡ−Ａ線に沿って切断した導音部材の斜視図である。
【図６】図６は、導音部材の他の構成例を示す斜視図である。
【図７】図７は、導音部材の更に他の構成例を示す斜視図である。
【発明を実施するための形態】
【００１８】
以下、本発明をカメラに実施した形態につき、図面に沿って具体的に説明する。
本発明の一実施態様であるカメラは、図１に示す如く、４つの角部にＲ付けが施された直方体状のハウジング(１)を具え、該ハウジング(１)には、撮影窓(２)やシャッター釦(３)が配備されている。
【００１９】
又、ハウジング(１)には、１つの角部(12)の裏面に対向させてスピーカ(４)が内蔵されると共に、該角部(12)から繋がる平板壁部(10)には、スピーカ(４)から発せられる音響をハウジング(１)の外部へ放出するための放音孔(11)が開設されている。
【００２０】
図２に示す様に、スピーカ(４)は、導音部材(５)に取り付けられた状態で、ハウジング(１)の角部(12)の裏面側に配備される。
導音部材(５)は、スピーカ(４)を収容する音源部(51)と、該音源部(51)からハウジング(１)の平板壁部(10)に沿って延びる平板状の導音壁部(52)とを具え、ハウジング(１)には、導音部材(５)の音源部(51)を支持するための支持板(13)が形成されると共に、導音部材(５)の導音壁部(52)の先端部をビス止めするためのボス(56)が形成されている。
又、ハウジング(１)の平板壁部(10)の裏面には、放音孔(11)を含む領域に、後述する防水シートを貼り着けるための凹部(14)が形成されている。
【００２１】
図４及び図５に示す様に、導音部材(５)の音源部(51)には、円筒状のスピーカ収納空間(53)と、該スピーカ収納空間(53)に連通する第１音響空間(54)とが形成されている。又、導音部材(５)の導音壁部(52)は、スピーカ収納空間(53)の筒軸方向とは直交する方向に延びる長方形の平板部(52a)と該平板部の周縁に沿って延びるリブ部(52b)とを有している。
【００２２】
図３に示す如く、ハウジング(１)の内面に導音部材(５)が取り付けられた状態で、導音部材(５)の音源部(51)の内部には、スピーカ(４)の音響出口側に第１音響空間(54)が形成されると共に、導音部材(５)の導音壁部(52)とハウジング(１)の平板壁部(10)との間には、第１音響空間(54)と連通する第２音響空間(55)が形成される。そして、第２音響空間(55)の中央部にハウジング(１)の放音孔(11)が対向している。
又、ハウジング(１)の平板壁部(10)の内面には、放音孔(11)からの水の浸入を防止するための防水シート(８)が貼り着けられている。
【００２３】
スピーカ(４)から発せられた音響は、破線の矢印の如く、第１音響空間(54)をハウジング(１)の平板壁部(10)と直交する方向に伝搬した後、約９０度向きを変えて、第２音響空間(55)をハウジング(１)の平板壁部(10)に沿って伝搬し、最終的に放音孔(11)からハウジング(１)の外部へ放出される。
【００２４】
ここで、第２音響空間(55)は、ハウジング(１)の平板壁部(10)と直交する方向の厚さが例えば０.７〜０.８ｍｍと小さいのに対し、音響伝搬方向と直交する方向の幅がハウジング(１)の幅に応じて約８ｍｍと大きく、然も音響伝搬方向に沿う方向の長さも約１５ｍｍと大きいため、その容積は充分に大きなものとなる。これによって、第２音響空間(55)を伝わる音響の減衰を効果的に抑制することが出来る。
【００２５】
然も、第２音響空間(55)と対向するハウジング(１)の平板壁部(10)の中央部に放音孔(11)が配置されているので、第２音響空間(55)の音響は、その音圧が大きく低下することなく、放音孔(11)から外部へ放出されることになる。
【００２６】
上述の如く本発明の一実施態様であるカメラによれば、ハウジング(１)の角部(12)の内側をスピーカ(４)の収容位置として、デッドスペースの有効活用を図ることが出来る。又、放音孔(11)からハウジング(１)内への水の浸入を防止するための防水シート(８)は、ハウジング(１)の平板壁部(10)の裏面に貼り着けられているので、防水シートを屈曲壁部(Ｒ部)に貼り着ける構成よりも、確実で信頼性の高い防水が図られる。
【００２７】
更に、導音部材(５)の導音壁部(52)とハウジング(１)の平板壁部(10)とによって第２音響空間(55)を形成しているので、導音部材(５)の薄型化、ひいてはハウジング(１)の小型化を図ることが出来る。
更に又、第２音響空間(55)に対する第１音響空間(54)の容積を可変設定することによって、音響特性を調整することが出来る。
【００２８】
尚、本発明の各部構成は上記実施の形態に限らず、特許請求の範囲に記載の技術的範囲内で種々の変形が可能である。例えば、ハウジング(１)に開設すべき放音孔(11)の数は１つに限らず複数であってもよい。
【００２９】
又、図６に示す如く、導音部材(６)の音源部(61)を構成するスピーカ収納部(63)と第１音響空間(64)の筒軸方向を上述の実施態様とは９０度異なる向きに変更して、該第１音響空間(64)から、導音部(62)の第２音響空間(65)へ音響を導く構成を採ることも出来る。
該構成によれば、導音部材(６)内のスピーカの向きが上述の実施態様とは９０度異なる場合にも第２音響空間(65)による導音が実現される。
【００３０】
更に又、図７に示す如く、導音部材(７)の音源部(71)を構成するスピーカ収納部(73)と第１音響空間(74)の筒軸方向を上述の実施態様とは９０度異なる向きに変更すると共に、該音源部(71)の両側に一対の導音部(72)(72)を形成して、該第１音響空間(74)から、一対の導音部(72)(72)の第２音響空間(75)(75)へ音響を導く構成を採ることも出来る。この場合、一対の第２音響空間(75)(75)のそれぞれに対向させて一対の放音孔を開設すればよい。
該構成によれば、音源がモノラル音声であっても、擬似的にステレオ音声効果を得ることが出来る。
【符号の説明】
【００３１】
(１)  ハウジング
(10)  平板壁部
(11)  放音孔
(12)  角部
(４)  スピーカ
(５)  導音部材
(51)  音源部
(52)  導音壁部
(53)  スピーカ収納空間
(54)  第１音響空間
(55)  第２音響空間
【図１】
2011035572.tif 000003
【図２】
2011035572.tif 000004
【図３】
2011035572.tif 000005
【図４】
2011035572.tif 000006
【図５】
2011035572.tif 000007
【図６】
2011035572.tif 000008
【図７】
2011035572.tif 000009